【手続補正書】
【提出日】平成16年11月4日(2004.11.4)
【手続補正１】
【補正対象書類名】明細書
【補正対象項目名】特許請求の範囲
【補正方法】変更
【補正の内容】
【特許請求の範囲】
【請求項１】
光源手段から出射した光束を他の光束に変換する第１の光学系と、該第１の光学系を通過した光束を偏向手段の偏向面上に主走査方向へ長い線像として結像させる第２の光学系と、該偏向手段からの光束を被走査面上に導光する第３の光学系と、を有する光走査装置において、
該第３の光学系は１枚以上の走査光学素子を有し、該偏向手段の偏向点から被走査面までの光軸上の距離をＴ、該偏向手段の偏向点から最も被走査面側の光学素子面までの光軸上の距離をＳ、該第３の光学系の副走査断面内の横倍率をβｓ（βｓ≦０）とするとき、
Ｓ／Ｔ≦０.３
｜βｓ｜≦３
なる条件を満たすことを特徴とする光走査装置。
【請求項２】
前記第３の光学系は、副走査断面内において負の屈折力を有する走査光学素子を有していることを特徴とする請求項１記載の光走査装置。
【請求項３】
前記第３の光学系は、副走査断面内において前記偏向面側に凸面を向けた走査光学素子を有していることを特徴とする請求項１又は２記載の光走査装置。
【請求項４】
前記１枚以上の走査光学素子は、最大有効径をＹmaxとするとき、
Ｙmax≦６０ｍｍ
なる条件を満たすことを特徴とする請求項１乃至３の何れか１項に記載の光走査装置。
【請求項５】
前記光源手段は複数の発光部を有することを特徴とする請求項１乃至４の何れか１項に記載の光走査装置。
【請求項６】
副走査断面内において前記被走査面上での有効Ｆ値をＦＳｎｏとするとき、有効走査域全域において、
ＦＳｎｏ≦６５
なる条件を満たすことを特徴とする請求項１乃至５の何れか１項に記載の光走査装置。
【請求項７】
主走査断面内において、前記被走査面上での有効Ｆ値をＦＭｎｏとするとき、有効走査域全域において、
ＦＭｎｏ≦５５
なる条件を満たすことを特徴とする請求項１乃至６の何れか１項に記載の光走査装置。
【請求項８】
光源手段から出射した光束を他の光束に変換する第１の光学系と、該第１の光学系を通過した光束を偏向手段の偏向面上に主走査方向へ長い線像として結像させる第２の光学系と、該偏向手段からの光束を被走査面上に導光する第３の光学系と、を有する光走査装置において、該第３の光学系は２枚の走査光学素子を有し、該第３の光学系の光軸方向における該２枚の走査光学素子間の距離をＵ、該第３の光学系の光軸方向における該偏向手段の偏向点から最も被走査面側の走査光学素子面までの距離をＳ、該第３の光学系の副走査断面内の横倍率をβｓ（βｓ≦０）とするとき、
Ｕ／Ｓ≦０.６
｜βｓ｜≦３
なる条件を満たすことを特徴とする光走査装置。
【請求項９】
前記第３の光学系は、副走査断面内において負の屈折力を有する走査光学素子を有していることを特徴とする請求項８記載の光走査装置。
【請求項１０】
前記第３の光学系は、副走査断面内において前記偏向面側に凸面を向けた走査光学素子を有していることを特徴とする請求項８又は９に記載の光走査装置。
【請求項１１】
前記２枚の走査光学素子は、最大有効径をＹmaxとするとき、
Ｙmax≦６０ｍｍ
なる条件を満たすことを特徴とする請求項８乃至１０の何れか１項に記載の光走査装置。
【請求項１２】
前記光源手段は複数の発光部を有することを特徴とする請求項８乃至１１の何れか１項に記載の光走査装置。
【請求項１３】
副走査断面内において前記被走査面上での有効Ｆ値をＦＳｎｏとするとき、有効走査域全域において、
ＦＳｎｏ≦６５
なる条件を満たすことを特徴とする請求項８乃至１２の何れか１項に記載の光走査装置。
【請求項１４】
主走査断面内において、前記被走査面上での有効Ｆ値をＦＭｎｏとするとき、有効走査域全域において、
ＦＭｎｏ≦５５
なる条件を満たすことを特徴とする請求項８乃至１３の何れか１項に記載の光走査装置。
【請求項１５】
前記２枚の走査光学素子のうち、１枚の走査光学素子はミラーであり、該第３の光学系の光軸方向における前記偏向手段の偏向点から該ミラーまでの光軸上の距離をＰ、該第３の光学系の光軸方向における該ミラーから前記被走査面までの距離をＱとするとき、
１．５≦Ｑ／Ｐ
なる条件を満たすことを特徴とする請求項８記載の光走査装置。
【請求項１６】
前記ミラーは、主走査断面内又は／及び副走査断面内において屈折力を有していることを特徴とする請求項１５記載の光走査装置。
【請求項１７】
請求項１乃至１６の何れか１項に記載の光走査装置と、前記被走査面に配置された感光体と、前記光走査装置で走査された光ビームによって前記感光体上に形成された静電潜像をトナー像として現像する現像器と、現像されたトナー像を被転写材に転写する転写器と、転写されたトナー像を被転写材に定着させる定着器とを有することを特徴とする画像形成装置。
【請求項１８】
請求項１乃至１６の何れか１項に記載の光走査装置と、外部機器から入力したコードデータを画像信号に変換して前記光走査装置に入力せしめるプリンタコントローラとを有していることを特徴とする画像形成装置。
【手続補正２】
【補正対象書類名】明細書
【補正対象項目名】００１１
【補正方法】変更
【補正の内容】
【００１１】
【課題を解決するための手段】
請求項１の発明の光走査装置は、光源手段から出射した光束を他の光束に変換する第１の光学系と、該第１の光学系を通過した光束を偏向手段の偏向面上に主走査方向へ長い線像として結像させる第２の光学系と、該偏向手段からの光束を被走査面上に導光する第３の光学系と、を有する光走査装置において、
該第３の光学系は１枚以上の走査光学素子を有し、該偏向手段の偏向点から被走査面までの光軸上の距離をＴ、該偏向手段の偏向点から最も被走査面側の光学素子面までの光軸上の距離をＳ、該第３の光学系の副走査断面内の横倍率をβｓ（βｓ≦０）とするとき、
Ｓ／Ｔ≦０.３
｜βｓ｜≦３
なる条件を満たすことを特徴としている。
【手続補正３】
【補正対象書類名】明細書
【補正対象項目名】００１２
【補正方法】変更
【補正の内容】
【００１２】
請求項２の発明は、請求項１の発明において、前記第３の光学系は、副走査断面内において負の屈折力を有する走査光学素子を有していることを特徴としている。
【手続補正４】
【補正対象書類名】明細書
【補正対象項目名】００１３
【補正方法】変更
【補正の内容】
【００１３】
請求項３の発明は、請求項１又は２の発明において、前記第３の光学系は、副走査断面内において前記偏向面側に凸面を向けた走査光学素子を有していることを特徴としている。
【手続補正５】
【補正対象書類名】明細書
【補正対象項目名】００１４
【補正方法】変更
【補正の内容】
【００１４】
請求項４の発明は、請求項１乃至３のいずれか１項の発明において、前記１枚以上の走査光学素子は、最大有効径をＹmaxとするとき、
Ｙmax≦６０ｍｍ
なる条件を満たすことを特徴としている。
【手続補正６】
【補正対象書類名】明細書
【補正対象項目名】００１５
【補正方法】変更
【補正の内容】
【００１５】
請求項５の発明は、請求項１乃至４のいずれか１項の発明において、前記光源手段は複数の発光部を有することを特徴としている。
【手続補正７】
【補正対象書類名】明細書
【補正対象項目名】００１６
【補正方法】変更
【補正の内容】
【００１６】
請求項６の発明は、請求項１乃至５のいずれか１項の発明において、副走査断面内において前記被走査面上での有効Ｆ値をＦＳｎｏとするとき、有効走査域全域において、
ＦＳｎｏ≦６５
なる条件を満たすことを特徴としている。
【手続補正８】
【補正対象書類名】明細書
【補正対象項目名】００１７
【補正方法】変更
【補正の内容】
【００１７】
請求項７の発明は、請求項１乃至６のいずれか１項の発明において、主走査断面内において、前記被走査面上での有効Ｆ値をＦＭｎｏとするとき、有効走査域全域において、
ＦＭｎｏ≦５５
なる条件を満たすことを特徴としている。
【手続補正９】
【補正対象書類名】明細書
【補正対象項目名】００１８
【補正方法】変更
【補正の内容】
【００１８】
請求項８の発明の光走査装置は、光源手段から出射した光束を他の光束に変換する第１の光学系と、該第１の光学系を通過した光束を偏向手段の偏向面上に主走査方向へ長い線像として結像させる第２の光学系と、該偏向手段からの光束を被走査面上に導光する第３の光学系と、を有する光走査装置において、該第３の光学系は２枚の走査光学素子を有し、該第３の光学系の光軸方向における該２枚の走査光学素子間の距離をＵ、該第３の光学系の光軸方向における該偏向手段の偏向点から最も被走査面側の走査光学素子面までの距離をＳ、該第３の光学系の副走査断面内の横倍率をβｓ（βｓ≦０）とするとき、
Ｕ／Ｓ≦０.６
｜βｓ｜≦３
なる条件を満たすことを特徴としている。
【手続補正１０】
【補正対象書類名】明細書
【補正対象項目名】００１９
【補正方法】変更
【補正の内容】
【００１９】
請求項９の発明は、請求項８の発明において、前記第３の光学系は、副走査断面内において負の屈折力を有する走査光学素子を有していることを特徴としている。
【手続補正１１】
【補正対象書類名】明細書
【補正対象項目名】００２０
【補正方法】変更
【補正の内容】
【００２０】
請求項１０の発明は、請求項８又は９の発明において、前記第３の光学系は、副走査断面内において前記偏向面側に凸面を向けた走査光学素子を有していることを特徴としている。
【手続補正１２】
【補正対象書類名】明細書
【補正対象項目名】００２１
【補正方法】変更
【補正の内容】
【００２１】
請求項１１の発明は、請求項８乃至１０のいずれか１項の発明において、前記２枚の走査光学素子は、最大有効径をＹmaxとするとき、
Ｙmax≦６０ｍｍ
なる条件を満たすことを特徴としている。
【手続補正１３】
【補正対象書類名】明細書
【補正対象項目名】００２２
【補正方法】変更
【補正の内容】
【００２２】
請求項１２の発明は、請求項８乃至１１のいずれか１項の発明において、前記光源手段は複数の発光部を有することを特徴としている。
【手続補正１４】
【補正対象書類名】明細書
【補正対象項目名】００２３
【補正方法】変更
【補正の内容】
【００２３】
請求項１３の発明は、請求項８乃至１２のいずれか１項の発明において、副走査断面内において前記被走査面上での有効Ｆ値をＦＳｎｏとするとき、有効走査域全域において、
ＦＳｎｏ≦６５
なる条件を満たすことを特徴としている。
【手続補正１５】
【補正対象書類名】明細書
【補正対象項目名】００２４
【補正方法】変更
【補正の内容】
【００２４】
請求項１４の発明は、請求項８乃至１３のいずれか１項の発明において、主走査断面内において、前記被走査面上での有効Ｆ値をＦＭｎｏとするとき、有効走査域全域において、
ＦＭｎｏ≦５５
なる条件を満たすことを特徴としている。
【手続補正１６】
【補正対象書類名】明細書
【補正対象項目名】００２５
【補正方法】変更
【補正の内容】
【００２５】
請求項１５の発明は、請求項８の発明において、前記２枚の走査光学素子のうち、１枚の走査光学素子はミラーであり、該第３の光学系の光軸方向における前記偏向手段の偏向点から該ミラーまでの光軸上の距離をＰ、該第３の光学系の光軸方向における該ミラーから前記被走査面までの距離をＱとするとき、
１．５≦Ｑ／Ｐ
なる条件を満たすことを特徴としている。
【手続補正１７】
【補正対象書類名】明細書
【補正対象項目名】００２６
【補正方法】変更
【補正の内容】
【００２６】
請求項１６の発明は、請求項１５の発明において、前記ミラーは、主走査断面内又は／及び副走査断面内において屈折力を有していることを特徴としている。
【手続補正１８】
【補正対象書類名】明細書
【補正対象項目名】００２７
【補正方法】変更
【補正の内容】
【００２７】
請求項１７の発明の画像形成装置は、請求項１乃至１６の何れか１項に記載の光走査装置と、前記被走査面に配置された感光体と、前記光走査装置で走査された光ビームによって前記感光体上に形成された静電潜像をトナー像として現像する現像器と、現像されたトナー像を被転写材に転写する転写器と、転写されたトナー像を被転写材に定着させる定着器とを有することを特徴としている。
【手続補正１９】
【補正対象書類名】明細書
【補正対象項目名】００２８
【補正方法】変更
【補正の内容】
【００２８】
請求項１８の発明の画像形成装置は、請求項１乃至１６の何れか１項に記載の光走査装置と、外部機器から入力したコードデータを画像信号に変換して前記光走査装置に入力せしめるプリンタコントローラとを有していることを特徴としている。
【手続補正２０】
【補正対象書類名】明細書
【補正対象項目名】００２９
【補正方法】削除
【補正の内容】
【手続補正２１】
【補正対象書類名】明細書
【補正対象項目名】００３０
【補正方法】削除
【補正の内容】